【事件の表示】
　平成　８年特許願第１００５７４号「インクジェットプリントヘッドの基体、インクジェットプリントヘッド、およびインクジェットプリント装置」拒絶査定不服審判事件〔平成　９年１１月　４日出願公開、特開平　９−２８６１０８〕について、次のとおり審決する。
【結　論】
　本件審判の請求は、成り立たない。
【理　由】
第１　手続の経緯
　本願は平成８年４月２２日の出願であって、平成１４年１２月２日付けで拒絶の査定がされたため、これを不服として平成１５年１月６日付けで本件審判請求がされるとともに、同年２月５日付けで明細書についての手続補正（平成１４年改正前特許法１７条の２第１項３号の規定に基づく手続補正であり、以下「本件補正」とう。）がされたものである。
　
第２　本件補正についての判断
１．補正事項
　本件補正による補正事項は次のとおりである。下線部が補正された箇所である。
補正事項１：【請求項１】及び段落【００１０】記載の「複数の発熱素子のそれぞれの一端側に電気的に接続され、かつプリントすべき画像に対応する画像データに基づいて、前記発熱素子のそれぞれを駆動可能な駆動回路」を「複数の発熱素子のそれぞれの一端側に電気的に接続され、かつプリントすべき画像に対応する画像データに基づいて、前記発熱素子のそれぞれを駆動可能な
複数の
補正事項２：【請求項１】，【請求項３】，段落【００１０】及び段落【００１１】記載の「発熱素子に対応した前記インク吐出口の数分の前記画像データをシリアルに受け取り」を「発熱素子に対応し
た、全発熱素子数よりも少ない
補正事項３：【請求項１】，【請求項３】，段落【００１０】及び段落【００１１】記載の「それに対応するインク吐出口の前記複数の駆動回路のそれぞれに供給する」を「
この画像データのそれぞれを、
　
２．当審の判断
　補正事項１〜３が、請求項削除や誤記の訂正を目的としたものでないことは明らかである。
　補正事項１については、「複数の」と明記がなくとも複数であることは自明である（インク吐出口当たり、駆動回路が複数あることを限定したのならいざしらず、インク吐出口が複数ある以上、駆動回路も当然複数である。）。
　補正事項２については、１つの吐出口に発熱素子が複数あることは補正前にも限定されているから、画像データをシリアルに受け取る数が全発熱素子数よりも少ないことは補正前においても明白である。
　補正事項３については、補正前においても、画像データのそれぞれを、対応するインク吐出口の前記複数の駆動回路のそれぞれに供給することは自明である。
　すなわち、本件補正は、補正前においても自明又は明白な事項をつけ加えただけのものであるから、特許請求の範囲の減縮を目的とするものではない。
　補正事項３に限っては、補正後の記載の方がより明りようであるといえなくもないが、補正事項３における補正前の記載が明りようでない旨の拒絶理由は通知されていないから、特許法１７条の２第４項４号の規定にも該当しない。
　したがって、本件補正は特許法１７条の２第４項の規定に違反するものとして、却下されるべきであるが、本件補正によって、請求項１，３及びそれら請求項を引用する発明に変更を生じるわけではないから、後記のとおり本件補正後の請求項３に係る発明（以下「本願発明」という。若干の記載上の相違はあるものの、本件補正前の請求項３に係る発明と同一である。）に進歩性がない以上、本件補正を却下することには意味がない。
　そこで、本審決では本件補正を却下しないこととする。
　なお、請求人は本件補正が特許請求の範囲の減縮を目的とするものと主張しており、この主張を認めることはできないが、仮にそうだとすると、後記第３で述べる理由により、本件補正後の請求項３に係る発明は独立特許要件を欠如することになるから、本件補正は却下されなければならず、本願の請求項３に係る発明の何らかの限定を施した発明に独立特許要件がないということは、請求項３に係る発明に進歩性がないということであるから、結局のところ審決の結論には影響しない。
　
第３　本件審判請求についての当審の判断
１．本願発明の認定
　本件補正を却下しないから、本願発明は、本件補正により補正された明細書及び図面の記載からみて、その特許請求の範囲【請求項３】に記載された事項によって特定される次のとおりのものと認める。
「複数のインク吐出口のそれぞれに連通する流路に備わる発熱素子からの熱エネルギーを利用して、前記インク吐出口からインクを吐出させるインクジェットプリントヘッドの一部を構成するインクジェットプリントヘッドの基体であって、
　前記複数のインク吐出口のそれぞれに対して複数備わる発熱素子と、
　前記発熱素子と複数対１に対応し、かつプリントすべき画像に対応する画像データに基づいて、前記発熱素子を駆動可能な駆動回路と、
　前記各インク吐出口に対応した前記複数の発熱素子の中から、駆動すべき発熱素子を各吐出口毎に選択するための選択回路と、
　前記選択回路によって選択された発熱素子に対応した、全発熱素子数よりも少ない前記インク吐出口数分の前記画像データをシリアルに受け取り、この画像データのそれぞれに対応する前記インク吐出口毎の駆動回路のそれぞれに供給する画像データ供給回路と、
　前記発熱素子のそれぞれの一端側に、該発熱素子に対応する共通の駆動回路を接続する共通配線と、
　前記発熱素子のそれぞれの他端側に接続された電力供給用の配線と
　を備えたことを特徴とするインクジェットプリントヘッドの基体。」
　
２．引用刊行物の記載事項
　原査定の拒絶の理由に引用された特開平８−４８０３４号公報（以下「引用例」という。）には、以下のア〜コの記載が図示とともにある。
　ア．「往復走査しながら、インク貯蔵部内に取り付けた加熱部でインクを加熱して気泡を発生させ、前記加熱部と対向して設けた吐出口からインク滴を飛ばすインクジェットプリンタヘッドにおいて、インクジェットプリンタヘッドの走査方向と直交する前記吐出口の中心線の両側に、第一加熱部と第二加熱部を設け、かつ、これら第一又は第二加熱部に選択的に電源を供給する電源切替部を設けたことを特徴とするインクジェットプリンタヘッド。」（【請求項２】）
　イ．「これら図面において、１０は基板であり、共通電極２０１，個別電極２０２等の配線パターンが形成されている。この基板１０のオリフィス（吐出口）６１と対向する位置には、単一の加熱部３００が設けてあり、この加熱部３００の一端は共通電極２０１と接続してあり、また、他端は個別電極２０２と接続してあった。そして、個別電極２０２に接続された図示しないドライバに制御部からの制御信号が入力されるとき、このドライバが作動して、共通電極２０１から加熱部３００に電源が供給され、加熱部３００の全体が加熱される構成としてあった。」（段落【０００５】）
　ウ．「加熱部３００の近傍には、壁部４０が取り付けてあり、この壁部４０は、加熱部３００の周辺にインク貯蔵部５１を形成するとともに、このインク貯蔵部５１に連通するインク供給路５２を形成する。このインク供給路５２は、図示しないインク溜りと連通しており、インク貯蔵部５１には、このインク溜りから供給された液体状のインク７０が貯蔵してある。さらに、壁部４０の上方には、インク貯蔵部５１と連通する前記オリフィス６１を形成したオリフィスプレート６０が取り付けてある。」（段落【０００６】）
　エ．「図１０〜１２は、従来のインクジェットプリンタヘッドの一チャネルを示すものであり、実際には、図１０の上下方向（矢印Ｏ，Ｐ方向）に同様の構成のチャネルが複数連続して設けてある。」（段落【０００７】）
　オ．「本発明の第一実施例に係るインクジェットプリンタヘッドの実施例について説明する。・・・以下の実施例において、従来と同様の部分については、同一番号を付して詳細な説明を省略する。・・・図１、図２及び図４において、３０は加熱部であり、インク貯蔵部５２のオリフィス（吐出口）６１と対向する位置に配置してある。この加熱部３０は、走査方向と直交するオリフィス６１の中心線Ｃの右側（図４中矢印Ｑ）と左側（図４中矢印Ｒ）に設けた第一及び第二加熱部３１、３２によって形成してある。・・・第一及び第二ドライバ９１，９２は、図示しない制御部と接続してあり、この制御部は、第一又は第二ドライバ９１，９２のいずれかに制御信号を出力して、これら第一又は第二ドライバ９１，９２を作動させる。第一又は第二ドライバ９１，９２が作動すると、第一又は第二加熱部３１，３２に前記電源部からの電源が供給され、これら第一又は第二加熱部３１，３２が加熱されて加熱部３０の加熱位置が切り替わる。」（段落【００２８】〜段落【００３１】）
　カ．「本発明の第二実施例に係るインクジェットプリンタヘッドについて、図７及び図８を参照しつつ説明する。図７は第二実施例に係るインクジェットプリンタヘッドの配線パターンを示す部分平面図である。図８は本インクジェットプリンタヘッドの回路図である。」（段落【００４４】）
　キ．「本実施例では、図７に示すように、加熱部３０を、オリフィス６１の走査方向と直交する中心線Ｃの右側と左側に設けた第一及び第二加熱部３１，３２と、これら第一及び第二加熱部３１，３２の間に位置し、中心線Ｃと同一中心線を有する第三加熱部３３によって形成した構成としてある。」（段落【００４５】）
　ク．「本実施例では、図７及び図８に示すように、これら第一〜第三加熱部３１，３２，３３の一端どうしを接続するとともに、第一加熱部３１の他端を第一共通電極２４に、第二加熱部３２の他端をビアホール３２ａを介して第二共通電極２５に、第三加熱部３３の他端を個別電極２６を介してドライバ９３に接続した構成としてある。」（段落【００４６】）
　ケ．「第一及び第二共通電極２４，２５（加熱部３０の電源供給側）には、第一及び第二ドライバ（電源切替部）９４，９５がそれぞれ接続してあり、これら第一及び第二ドライバ９４，９５は、前記制御部からの駆動信号にもとづいて選択的に動作し、第一又は第二共通電極２４，２５のいずれかに図示しない電源部からの電源を供給する。ドライバ９３は、前記制御部からの制御信号にもとづいて作動し、第一又は第二共通電極２４，２５からの電源を、第一及び第三加熱部３１，３３又は第二及び第三加熱部３２，３３に供給する。」（段落【００４７】）
　コ．「すなわち、前記制御部が、第一又は第二ドライバ９４，９５のいずれに駆動信号を出力するかによって、前記電源部と第一又は第二共通電極２４，２５の接続が切り替えられ、さらに、前記制御部が、ドライバ９３に制御信号を出力することによって、これら第一及び第三加熱部３１，３３又は第二及び第三加熱部３２，３３のいずれかに電流が供給される。」（段落【００４８】）
　
３．引用例記載の発明の認定
　以下では、「発明を特定するための事項」という意味で「構成」との用語を用いることがある。
　引用例の第二実施例（記載カ〜コ，【図７】，【図８】）は、第一加熱部３１〜第三加熱部３３を有するものであるが、記載アにあるように第三加熱部３３は省略してもよく、その場合、記載クにおいては、第一，第二加熱部３１，３２の一端どうしを接続し、さらに個別電極２６を介してドライバ９３に接続することとなる。なお、第三加熱部３３を省略しない場合であっても、本願発明の「前記各インク吐出口に対応した前記複数の発熱素子の中から、駆動すべき発熱素子を各吐出口毎に選択」とは、１つのインク吐出口に対して複数の発熱素子を選択することを排除するものではないから、後記一致点及び相違点の認定には影響を及ぼさず、相違点の判断にも影響を及ぼさない。以下では、記載クの「ドライバ９３」を「駆動ドライバ」と、記載ケの「第一及び第二ドライバ（電源切替部）９４，９５」を「第一電源切替ドライバ」及び「第二電源切替ドライバ」ということにし、さらに漢数字はアラビア数字に改める。
　引用例は「インクジェットプリンタヘッド」の発明を記載した文献であるが、そこには、基板、加熱部、壁部、インク貯蔵部、インク供給路、駆動ドライバ、電源切替部及び配線等からなる「インクジェットプリンタヘッドの基体」としての発明も把握することができ、第２実施例から第３加熱部３３は省略した「インクジェットプリンタヘッドの基体」は次のようなものである。
「複数のチャネルを有し、
　一つのチャネルに、インクジェットプリンタヘッドの走査方向と直交する前記吐出口の中心線の両側に、第１加熱部と第２加熱部を設け、第１，２加熱部の一端どうしを接続し、さらに個別電極を介して駆動ドライバに接続し、
　第１加熱部の他端を第１共通電極に、第２加熱部の他端を第２共通電極にそれぞれ接続し、第１共通電極を第１電源切替ドライバに、第２共通電極を第２電源切替ドライバにそれぞれ接続し、
　制御部からの信号が、第１電源切替ドライバ及び第２電源切替ドライバに個別に供給され、往走査であるか復走査であるかに応じて、第１共通電極又は第２共通電極の一方だけが該信号によって電源部と接続されるようにされ、
　制御部からの別の信号が駆動ドライバに供給されるよう構成したインクジェットプリンタヘッドの基体。」（以下「引用発明」という。）
　
４．本願発明と引用発明との一致点及び相違点の認定
　引用発明は複数のチャネルを有し、その「加熱部」は本願発明の「発熱素子」に相当するから、引用発明が「複数のインク吐出口のそれぞれに連通する流路に備わる発熱素子からの熱エネルギーを利用して、前記インク吐出口からインクを吐出させるインクジェットプリントヘッドの一部を構成するインクジェットプリントヘッドの基体」であることは明らかである。
　引用発明の「一つのチャネル」には１つのインク吐出口が存在することは明らかであるから、引用発明は「複数のインク吐出口のそれぞれに対して複数備わる発熱素子」を備えている。
　本願の願書に添付した図面の【図９】が本願発明の回路図であるが、同図では１つの吐出口内の発熱素子が共通の駆動回路（駆動トランジスタ７０２）に接続されており、発熱素子を選択するためには、トランジスタ７０４に入力される制御信号Ｃによって選択しなければならないが、同図ではすべてのトランジスタ７０４に共通に信号が入力されるように描かれているばかりか、不要なはずのセレクト信号３０５までが描かれているから、理解しがたいものの、常識的にみて、セレクト信号３０５は不要であり、制御信号Ｃはトランジスタ７０４毎に異なると解するのが相当である。なお、請求人は「本願の請求項３に係る発明は、・・・発熱素子の複数に対して１つの駆動素子（図９におけるアンド回路３０７に相当）を有しています。」（平成１４年５月７日付け意見書２頁６〜９行）と主張しているが、【図９】のセレクト信号３０５が不要なことは既に述べたとおりであり、ＡＮＤ回路３０７は３入力であるが、そのうちの１つはデコーダ３１４の出力（５ブロックのノズル群の選択）であって、本願発明はブロック分割駆動に限定されていないからこれも不要である。結局のところ、ＡＮＤ回路３０７の入力は画像データ（ラッチ回路の出力）と駆動パルス信号（Ｈｅａｔ　ＥＮＢ）３０６の２つだけであり、この２つだけならば、駆動パルス信号（Ｈｅａｔ　ＥＮＢ）３０６を電源側に供給し、制御信号Ｃとの論理積をとってもよいはずであるし、通常（インク吐出口数）≫（インク吐出口毎の発熱素子数）であるから、その方がＡＮＤ回路の数も少なくてすむ。そうすると、ＡＮＤ回路３０７は必ずしも必要なものではなく、必ず必要なのは「駆動トランジスタ７０２」であるから、本願発明の「駆動回路」に相当する実施例は「駆動トランジスタ７０２」と解すべきである。そうである以上、引用発明の「駆動ドライバ」は、第１加熱部及び第２加熱部それぞれの一端に共通接続されているから、本願発明の「前記発熱素子と複数対１に対応し、かつプリントすべき画像に対応する画像データに基づいて、前記発熱素子を駆動可能な駆動回路」に相当する。
　本願発明の「選択回路」が何であるか請求項３の記載のみからは必ずしも明確でないが、【図９】のトランジスタ７０４（１）〜トランジスタ７０４（ｎ）がその実施例であると解される（ただし、この解釈では、請求項１記載の「選択回路」の実施例がないことになるが、請求項１記載の「選択回路」をどのように解しても、それに対応する実施例はない。）。そうである以上、引用発明の「第１電源切替ドライバ及び第２電源切替ドライバ」は、そこに供給される信号によって、第１共通電極又は第２共通電極の一方だけを電源部と接続するものであり、その結果第１加熱部と第２加熱部の一方だけが加熱されることとなるから、本願発明の「前記各インク吐出口に対応した前記複数の発熱素子の中から、駆動すべき発熱素子を各吐出口毎に選択するための選択回路」に相当する。
　なお、本願発明の「駆動回路」及び「選択回路」を、上記の意味以外に解する余地があるとしても、進歩性の判断に影響を及ぼすものではない。なぜなら、駆動トランジスタの前段にＡＮＤ回路を配すること、シフトレジスタ・ラッチ回路等をインクジェットプリントヘッドの基体内部に設けることは周知である（例えば、原査定の拒絶の理由に引用された特開平７−１１２５２８号公報（以下「周知例」という。）参照。）から、「駆動回路」をＡＮＤ回路の意味に解しても、結局のところ想到容易の域をでない。また、「選択回路」の別解釈として可能なのは、選択信号を作成する回路との解釈である。同解釈を採った場合、実施例のサポートがないと同時に、願書に最初に添付した明細書・図面に記載がない（「選択回路」との文言記載すらない。）ことから、新規事項追加補正がされていることになるのだが、そのことを措くとしても、引用発明では選択信号を制御部で作成しているのであるから、制御部をインクジェットプリントヘッドの基体内部に設けるかどうかだけの問題であり、その程度のことが当業者にとって想到容易であることは明らかである。
　引用発明は、「制御部」で作成された信号が「駆動ドライバ」に供給されるのであるから、同信号を作成するための画像データが「制御部」に入力されることは明らかであるから、「制御部」は本願発明の「インク吐出口毎の駆動回路のそれぞれに供給する画像データ供給回路」と同機能を有するものである。以下、その意味で引用発明の「制御部」が本願発明の「画像データ供給回路」に相当するものとして扱う。もっとも、「制御部」が「インクジェットプリントヘッドの基体」内部にある（引用発明の構成となる）のか、外部にある（引用発明の構成とならない）のかは、引用例の記載からは明らかでなく、それは本願発明と引用発明との相違点となる。
　そして、引用発明が、本願発明の「前記発熱素子のそれぞれの一端側に、該発熱素子に対応する共通の駆動回路を接続する共通配線」及び「前記発熱素子のそれぞれの他端側に接続された電力供給用の配線」を備えることは明らかである。
　したがって、本願発明と引用発明とは、
「複数のインク吐出口のそれぞれに連通する流路に備わる発熱素子からの熱エネルギーを利用して、前記インク吐出口からインクを吐出させるインクジェットプリントヘッドの一部を構成するインクジェットプリントヘッドの基体であって、
　前記複数のインク吐出口のそれぞれに対して複数備わる発熱素子と、
　前記発熱素子と複数対１に対応し、かつプリントすべき画像に対応する画像データに基づいて、前記発熱素子を駆動可能な駆動回路と、
　前記各インク吐出口に対応した前記複数の発熱素子の中から、駆動すべき発熱素子を各吐出口毎に選択するための選択回路と、
　前記発熱素子のそれぞれの一端側に、該発熱素子に対応する共通の駆動回路を接続する共通配線と、
　前記発熱素子のそれぞれの他端側に接続された電力供給用の配線と
　を備え
　前記インク吐出口毎の駆動回路のそれぞれに供給する画像データ供給回路からの信号が前記インク吐出口毎の駆動回路のそれぞれに供給されるように構成されたインクジェットプリントヘッドの基体。」である点で一致し、以下の点で相違する。
〈相違点〉本願発明の「画像データ供給回路」は「インクジェットプリントヘッドの基体」内部にあり、「前記選択回路によって選択された発熱素子に対応した、全発熱素子数よりも少ない前記インク吐出口数分の前記画像データをシリアルに受け取り、この画像データのそれぞれに対応する前記インク吐出口毎の駆動回路のそれぞれに供給する」ものであるが、引用発明ではそれらのことが明らかでない点。
　
５．相違点についての判断及び本願発明の進歩性の判断
　本願出願当時、「インク吐出口数分の画像データをシリアルに受け取り、この画像データのそれぞれに対応する前記インク吐出口毎の駆動回路のそれぞれに供給する画像データ供給回路」をインクジェットプリントヘッドの基体内部に設けることは周知である（例えば、前掲周知例参照。同文献の【図１】，【図４】及び【図６】図示のシフトレジスタの段数はインク吐出口数と一致しており、インク吐出口数分の画像データをシリアルに受け取るものである。そして、このシフトレジスタとラッチ回路を併せたものが「画像データ供給回路」である。）。
　もっとも、周知例記載のものは、１つのインク吐出口に１つの発熱素子しか設けられていないのに対し、引用発明では２つの発熱素子（加熱部）が設けられている点で相違するから、この相違が引用発明に上記周知技術を適用する際の障害になるかどうかを検討しなければならない。引用発明は、１つのインク吐出口に２つの発熱素子（加熱部）を設けたものであるが、往走査及び復走査の際には、２つのうちの１つだけが駆動されるものであり、そのため「第１，２加熱部の一端どうしを接続し、さらに個別電極を介して駆動ドライバに接続」するとともに、「制御部からの信号が、第１電源切替ドライバ及び第２電源切替ドライバに個別に供給され、往走査であるか復走査であるかに応じて、第１共通電極又は第２共通電極の一方だけが該信号によって電源部と接続されるようにされ」たものであるから、往走査又は復走査の際には、第１共通電極又は第２共通電極の一方は電源部と遮断されており、遮断された側の加熱部は何も機能しない構成となっており、さらに引用例【図８】では、チャネル数（インク吐出口数）分の駆動ドライバ及び入力端子しか存在しないから、往走査又は復走査だけを考えれば、１つのインク吐出口に２つの発熱素子（加熱部）があることは、「画像データ供給回路」の構成として何の関係もないことが明らかである。
　そうである以上、引用発明に上記周知技術を適用して相違点に係る本願発明の構成をなすことには何の困難性もなく、当業者にとって想到容易といわなければならない。また、相違点に係る本願発明の構成を採用したことによる格別の作用効果を認めるこもできない。
　したがって、本願発明は、引用発明及び周知技術に基づいて当業者が容易に発明をすることができたものであるから、特許法２９条２項の規定により特許を受けることができない。
　
第４　むすび
　本願発明が特許を受けることができない以上、本願のその余の請求項に係る発明について検討するまでもなく、本願は拒絶を免れない。
　よって、結論のとおり審決する。